(57)【要約】【課題】互いに異なる３つの原色の光成分間における光度比の、見る角度に対する依存性を従来よりも低減することができる表示装置と、その表示装置に用いることができる表示ユニットとを提供する。【解決手段】各々の発光装置１００Ａにおいて、直線状に並ぶ赤色ＬＥＤ１１０Ｒ、緑色ＬＥＤ１１０Ｇ、及び青色ＬＥＤ１１０Ｂのすべてが、光軸ＯＡからずれた位置に配置される。緑色ＬＥＤ１１０Ｇと青色ＬＥＤ１１０Ｂとの最短距離Ｄ１が、赤色ＬＥＤ１１０Ｒと緑色ＬＥＤ１１０Ｇとの最短距離Ｄ２よりも短い。最短距離Ｄ２を表す仮想線分Ｌ１に直交し、かつ赤色ＬＥＤ１１０Ｒを通る第１仮想平面Ｓ１と、第１仮想平面Ｓ１に平行で緑色ＬＥＤ１１０Ｇを通る第２仮想平面Ｓ２との間に、光軸ＯＡが延在する。隣り合う２つの発光装置１００Ａの一方が、他方に対して、０度を超える１８０度以下の角度だけ回転した向きに配置される。【選択図】図４
2020013043.tif 000002
【特許請求の範囲】
【請求項１】
それぞれ可視光を放射する複数の発光装置と、
複数の前記発光装置が２次元に分布した状態に配列される回路基板と、
を備え、
各々の前記発光装置が、
第１原色の光を放射する第１発光素子と、
前記第１原色と異なる第２原色の光を放射する第２発光素子と、
前記第１原色及び前記第２原色と異なる第３原色の光を放射する第３発光素子と、
前記第１発光素子、前記第２発光素子、及び前記第３発光素子を保持した状態で、前記回路基板に固定される保持部材と、
前記回路基板の平面と直交する方向に延在する光軸を有し、前記第１発光素子、前記第２発光素子、及び前記第３発光素子の各々が放射する前記光を屈折させるレンズ部材と、
を有し、
各々の前記発光装置において、
前記第１発光素子、前記第２発光素子、及び前記第３発光素子のすべてが、前記光軸からずれた位置に配置されており、
前記光軸に平行な平面視において、前記第１発光素子、前記第２発光素子、及び前記第３発光素子が、前記第１発光素子、前記第２発光素子、及び前記第３発光素子の順番に直線状に並んでおり、かつ前記第２発光素子と前記第３発光素子との最短距離が、前記第１発光素子と前記第２発光素子との最短距離よりも短く、
前記第１発光素子と前記第２発光素子との前記最短距離を表す仮想線分に直交し、かつ前記第１発光素子を通る第１仮想平面と、前記第１仮想平面に平行で前記第２発光素子を通る第２仮想平面との間に、前記光軸が延在しており、
前記回路基板において、隣り合う２つの前記発光装置の一方が、他方に対して、前記回路基板に平行な面内で、０度を超える１８０度以下の角度だけ回転した向きに配置されている構成を有する、
表示ユニット。
【請求項２】
各々の前記発光装置において、前記光軸が、前記仮想線分と交差している、
請求項１に記載の表示ユニット。
【請求項３】
各々の前記発光装置において、前記光軸に平行な平面視で、前記第１発光素子から前記光軸までの最短距離と、前記第２発光素子から前記光軸までの最短距離とが等しい、
請求項１又は２に記載の表示ユニット。
【請求項４】
各々の前記発光装置において、前記光軸に平行な平面視で、前記第１発光素子から前記第３発光素子のうち前記第３発光素子が、前記光軸から最も遠い位置に配置されており、
前記第３発光素子が、前記第３原色として、赤色又は青色の光を放射する、
請求項１から３のいずれか１項に記載の表示ユニット。
【請求項５】
それぞれ可視光を放射する複数の発光装置と、
複数の前記発光装置が２次元に分布した状態に配列される回路基板と、
を備え、
各々の前記発光装置が、
第１原色の光を放射する第１発光素子と、
前記第１原色と異なる第２原色の光を放射する第２発光素子と、
前記第１原色及び前記第２原色と異なる第３原色の光を放射する第３発光素子と、
前記第１発光素子、前記第２発光素子、及び前記第３発光素子を保持した状態で、前記回路基板に固定される保持部材と、
前記回路基板の平面と直交する方向に延在する光軸を有し、前記第１発光素子、前記第２発光素子、及び前記第３発光素子の各々が放射する前記光を屈折させるレンズ部材と、
を有し、
各々の前記発光装置において、
前記第１発光素子、前記第２発光素子、及び前記第３発光素子のすべてが、前記光軸からずれた位置に配置されており、
前記光軸に平行な平面視において、前記第２発光素子と前記第３発光素子との最短距離が、前記第１発光素子と前記第２発光素子との最短距離、及び前記第１発光素子と前記第３発光素子との最短距離よりも短く、
前記第２発光素子と前記第３発光素子との中点と前記第１発光素子とを結ぶ仮想軸線に直交し、かつ前記第１発光素子を通る第１仮想平面と前記第１仮想平面に平行で前記中点を通る第２仮想平面との間に、前記光軸が延在しており、
前記回路基板において、隣り合う２つの前記発光装置の一方が、他方に対して、前記回路基板に平行な面内で、０度を超える１８０度以下の角度だけ回転した向きに配置されている構成を有する、
表示ユニット。
【請求項６】
各々の前記発光装置において、前記光軸が、前記仮想軸線と交差している、
請求項５に記載の表示ユニット。
【請求項７】
各々の前記発光装置において、前記光軸に平行な平面視で、前記第１発光素子から前記光軸までの最短距離と、前記中点から前記光軸までの最短距離とが等しい、
請求項５又は６に記載の表示ユニット。
【請求項８】
複数の前記発光装置が、前記回路基板にマトリクス状に配列されており、
前記回路基板において、前記マトリクスの行に平行な方向に隣り合う２つの前記発光装置の一方が、他方に対して、前記回路基板に平行な面内で、０度を超える１８０度以下の角度だけ回転した向きに配置されており、かつ前記マトリクスの列に平行な方向に隣り合う２つの前記発光装置の一方が、他方に対して、前記回路基板に平行な面内で、０度を超える１８０度以下の角度だけ回転した向きに配置された構成を有する、
請求項１から７のいずれか１項に記載の表示ユニット。
【請求項９】
請求項１から８のいずれか１項に記載の表示ユニットを複数備え、
複数の前記表示ユニットが配列されて構成されている画面に、映像を表示する、
表示装置。
【発明の詳細な説明】
【技術分野】
【０００１】
本発明は、表示ユニット及び表示装置に関する。
【背景技術】
【０００２】
映像を表示するものとして、複数の発光装置が回路基板上にマトリクス状に配列された構成を有する表示装置が知られている。各々の発光装置は、赤色の光を放射する赤色ＬＥＤと、緑色の光を放射する緑色ＬＥＤと、青色の光を放射する青色ＬＥＤと、それら赤色ＬＥＤ、緑色ＬＥＤ、及び青色ＬＥＤの各々が放射する光を屈折させるレンズ部材とを有する。レンズ部材の光軸は、回路基板と交差する方向に延在する。
【０００３】
特許文献１は、各々の発光装置において、緑色ＬＥＤ、赤色ＬＥＤ、及び青色ＬＥＤが、緑色ＬＥＤ、赤色ＬＥＤ、及び青色ＬＥＤの順番に直線状に並んでいる構成を開示している。真ん中の赤色ＬＥＤが、レンズ部材の光軸上に配置されている。
【０００４】
この構成を採る場合、回路基板上のすべての発光装置が、上方に緑色ＬＥＤ、下方に青色ＬＥＤが配置される向きに揃えられていると、表示装置を上方から見たときに緑色が相対的に強く感じられ、下方から見たときには、青色が相対的に強く感じられがちである。つまり、表示装置に表示される映像の色味が、見る角度に依存する。
【０００５】
そこで、特許文献１は、回路基板上において隣り合う２つの発光装置の一方を、他方に対して、回路基板に平行な面内で１８０度回転した向きに配置することを提案している。これにより、表示装置に表示される映像における、緑色の光成分と、青色の光成分との光度比の、上下方向の見る角度に対する依存性が低減される。
【先行技術文献】
【特許文献】
【０００６】
【特許文献１】特開２００２−８２６３５号公報
【発明の概要】
【発明が解決しようとする課題】
【０００７】
特許文献１に開示される構成では、緑色ＬＥＤ、赤色ＬＥＤ、及び青色ＬＥＤのうち、赤色ＬＥＤのみが、レンズ部材の光軸上に配置されている。このため、赤色の光成分と、緑色又は青色の光成分との光度比の、見る角度に対する依存性は低減され難い。
【０００８】
本発明の目的は、互いに異なる３つの原色の光成分間における光度比の、見る角度に対する依存性を従来よりも低減することができる表示装置と、その表示装置に用いることができる表示ユニットとを提供することである。
【課題を解決するための手段】
【０００９】
上記目的を達成するために、本発明の第１の観点に係る表示ユニットは、
それぞれ可視光を放射する複数の発光装置と、
複数の前記発光装置が２次元に分布した状態に配列される回路基板と、
を備え、
各々の前記発光装置が、
第１原色の光を放射する第１発光素子と、
前記第１原色と異なる第２原色の光を放射する第２発光素子と、
前記第１原色及び前記第２原色と異なる第３原色の光を放射する第３発光素子と、
前記第１発光素子、前記第２発光素子、及び前記第３発光素子を保持した状態で、前記回路基板に固定される保持部材と、
前記回路基板の平面と直交する方向に延在する光軸を有し、前記第１発光素子、前記第２発光素子、及び前記第３発光素子の各々が放射する前記光を屈折させるレンズ部材と、
を有し、
各々の前記発光装置において、
前記第１発光素子、前記第２発光素子、及び前記第３発光素子のすべてが、前記光軸からずれた位置に配置されており、
前記光軸に平行な平面視において、前記第１発光素子、前記第２発光素子、及び前記第３発光素子が、前記第１発光素子、前記第２発光素子、及び前記第３発光素子の順番に直線状に並んでおり、かつ前記第２発光素子と前記第３発光素子との最短距離が、前記第１発光素子と前記第２発光素子との最短距離よりも短く、
前記第１発光素子と前記第２発光素子との前記最短距離を表す仮想線分に直交し、かつ前記第１発光素子を通る第１仮想平面と、前記第１仮想平面に平行で前記第２発光素子を通る第２仮想平面との間に、前記光軸が延在しており、
前記回路基板において、隣り合う２つの前記発光装置の一方が、他方に対して、前記回路基板に平行な面内で、０度を超える１８０度以下の角度だけ回転した向きに配置されている構成を有する。
【００１０】
上記目的を達成するために、本発明の第２の観点に係る表示ユニットは、
それぞれ可視光を放射する複数の発光装置と、
複数の前記発光装置が２次元に分布した状態に配列される回路基板と、
を備え、
各々の前記発光装置が、
第１原色の光を放射する第１発光素子と、
前記第１原色と異なる第２原色の光を放射する第２発光素子と、
前記第１原色及び前記第２原色と異なる第３原色の光を放射する第３発光素子と、
前記第１発光素子、前記第２発光素子、及び前記第３発光素子を保持した状態で、前記回路基板に固定される保持部材と、
前記回路基板の平面と直交する方向に延在する光軸を有し、前記第１発光素子、前記第２発光素子、及び前記第３発光素子の各々が放射する前記光を屈折させるレンズ部材と、
を有し、
各々の前記発光装置において、
前記第１発光素子、前記第２発光素子、及び前記第３発光素子のすべてが、前記光軸からずれた位置に配置されており、
前記光軸に平行な平面視において、前記第２発光素子と前記第３発光素子との最短距離が、前記第１発光素子と前記第２発光素子との最短距離、及び前記第１発光素子と前記第３発光素子との最短距離よりも短く、
前記第２発光素子と前記第３発光素子との中点と前記第１発光素子とを結ぶ仮想軸線に直交し、かつ前記第１発光素子を通る第１仮想平面と前記第１仮想平面に平行で前記中点を通る第２仮想平面との間に、前記光軸が延在しており、
前記回路基板において、隣り合う２つの前記発光装置の一方が、他方に対して、前記回路基板に平行な面内で、０度を超える１８０度以下の角度だけ回転した向きに配置されている構成を有する。
【発明の効果】
【００１１】
上記各構成によれば、隣り合う２つの発光装置の一方が、他方に対して、０度を超える１８０度以下の角度だけ回転した向きに配置されていることにより、第１原色の光成分と、第２原色の光成分との光度比の、見る角度に対する依存性を低減することができる。
【００１２】
また、各々の発光装置において、第３発光素子も、第１発光素子及び第２発光素子と同様に、光軸からずれた位置に配置されており、かつ第３発光素子と第２発光素子との最短距離が、第１発光素子と第２発光素子との最短距離、及び第１発光素子と第３発光素子との最短距離よりも短い。このため、第３原色の光成分と、第２原色の光成分との光度比の、見る角度に対する依存性も低減される。
【００１３】
この結果、互いに異なる３つの原色の光成分間における光度比の、見る角度に対する依存性を従来よりも低減することができる。
【図面の簡単な説明】
【００１４】
【図１】実施形態１に係る表示装置を示す斜視図
【図２】実施形態１に係る表示ユニットの一部を示す斜視図
【図３】実施形態１に係る発光装置を示す断面図
【図４】実施形態１に係る発光装置の要部を示す平面図
【図５】実施形態１に係る発光装置の配列を示す概念図
【図６】実施形態１に係る表示装置に表示される映像における、赤色成分、緑色成分、及び青色成分の各々の相対光度の、見る角度に対する依存性を示すグラフ
【図７】実施形態２に係る発光装置の配列を示す概念図
【図８】実施形態３に係る発光装置の配列を示す概念図
【図９】実施形態４に係る発光装置の要部を示す平面図
【図１０】実施形態４に係る発光装置の配列を示す概念図
【図１１】比較形態に係る発光装置の要部を示す平面図
【図１２】比較形態に係る発光装置の配列を示す概念図
【図１３】比較形態に係る表示装置に表示される映像における、赤色成分、緑色成分、及び青色成分の各々の相対光度の、見る角度に対する依存性を示すグラフ
【発明を実施するための形態】
【００１５】
以下、図面を参照し、本発明の実施形態１−４について説明する。図中、同一又は対応する部分に同一の符号を付す。
【００１６】
［実施形態１］
図１に示すように、本実施形態に係る表示装置３００は、それぞれ映像を表示する複数の表示ユニット２００と、それら複数の表示ユニット２００を保持するフレーム３１０とを備える。複数の表示ユニット２００は、フレーム３１０において、マトリクス状に配列されている。これにより、複数の表示ユニット２００が、全体として１つの画面３２０を構成している。その画面３２０に、映像が表示される。
【００１７】
以下の説明のために、画面３２０において複数の表示ユニット２００が構成するマトリクスの行に平行なＸ軸、そのマトリクスの列に平行なＹ軸、及び画面３２０に対する法線に平行なＺ軸を有する右手系のＸＹＺ直交座標系を定義する。画面３２０からＺ軸に沿って外方に向かう方向が、Ｚ軸のプラス方向である。
【００１８】
図２に示すように、各々の表示ユニット２００は、それぞれ可視光を放射する複数の発光装置１００Ａと、それら複数の発光装置１００Ａが２次元に分布した状態に配列される回路基板２１０とを備える。
【００１９】
複数の発光装置１００Ａは、具体的には、回路基板２１０上にマトリクス状に配列されている。複数の発光装置１００Ａが回路基板２１０において構成するマトリクスの行は、Ｘ軸と平行であり、そのマトリクスの列は、Ｙ軸と平行である。
【００２０】
なお、図示しないが、回路基板２１０は、各々の発光装置１００Ａに、発光に必要な電力を供給するための給電回路を有する。その給電回路を通じて、各々の発光装置１００Ａに電力が供給されることにより、各々の発光装置１００Ａが発光する。
【００２１】
各々の発光装置１００Ａは、図１に示した画面３２０において１つの画素を構成している。各々の発光装置１００Ａによって放射される可視光を構成する３原色の光成分間の強度比が、図示せぬ駆動回路によって制御されることにより、図１に示した画面３２０への映像の表示が実現される。
【００２２】
図３に示すように、各々の発光装置１００Ａは、第１発光素子としての赤色ＬＥＤ（Light Emitting Diode）１１０Ｒ、第２発光素子としての緑色ＬＥＤ１１０Ｇ、及び第３発光素子としての青色ＬＥＤ１１０Ｂを備える。赤色ＬＥＤ１１０Ｒは、第１原色としての赤色の光を放射する。緑色ＬＥＤ１１０Ｇは、第２原色としての緑色の光を放射する。青色ＬＥＤ１１０Ｂは、第３原色としての青色の光を放射する。
【００２３】
また、発光装置１００Ａは、赤色ＬＥＤ１１０Ｒ、緑色ＬＥＤ１１０Ｇ、及び青色ＬＥＤ１１０Ｂの各々が放射する光を屈折させるレンズ部材１２０を備える。レンズ部材１２０は、回路基板２１０の平面と直交する方向、具体的には、Ｚ軸の方向に延在する光軸ＯＡを有する。レンズ部材１２０は、Ｚ軸のプラス方向に膨らんだ凸レンズを構成している。
【００２４】
また、発光装置１００Ａは、回路基板２１０に固定される保持部材としてのパッケージ部材１３０を備える。パッケージ部材１３０は、絶縁体、具体的には、樹脂によって構成されている。パッケージ部材１３０は、光軸ＯＡと交差する位置に配置された基部１３１と、基部１３１から立ち上がった壁部１３２とを有する。壁部１３２は、Ｚ軸のプラス方向に向かうに従って、光軸ＯＡから遠ざかる向きに傾斜した内面を有する。
【００２５】
基部１３１によって、赤色ＬＥＤ１１０Ｒ、緑色ＬＥＤ１１０Ｇ、及び青色ＬＥＤ１１０Ｂが保持されている。壁部１３２は、赤色ＬＥＤ１１０Ｒ、緑色ＬＥＤ１１０Ｇ、及び青色ＬＥＤ１１０Ｂを取り囲んでいる。基部１３１と壁部１３２とによって、赤色ＬＥＤ１１０Ｒ、緑色ＬＥＤ１１０Ｇ、及び青色ＬＥＤ１１０Ｂが収容される凹部１３３が画定されている。
【００２６】
また、発光装置１００Ａは、赤色ＬＥＤ１１０Ｒ、緑色ＬＥＤ１１０Ｇ、及び青色ＬＥＤ１１０Ｂの各々に、発光に必要な電力を供給するためのリードフレーム１４０を複数備える。リードフレーム１４０は、パッケージ部材１３０と一体に形成されている。
【００２７】
パッケージ部材１３０は、リードフレーム１４０を介して、回路基板２１０に固定される。赤色ＬＥＤ１１０Ｒ、緑色ＬＥＤ１１０Ｇ、及び青色ＬＥＤ１１０Ｂの各々は、リードフレーム１４０を通じて、回路基板２１０の図示せぬ給電回路と電気的に接続される。
【００２８】
以下、本実施形態において解決しようとする課題を示すために、発光装置１００Ａの細部の説明に先立って、比較形態について説明する。
【００２９】
図１１に示すように、比較形態に係る発光装置１００Ｚは、赤色ＬＥＤ１１０Ｒ、緑色ＬＥＤ１１０Ｇ、及び青色ＬＥＤ１１０Ｂが、赤色ＬＥＤ１１０Ｒ、緑色ＬＥＤ１１０Ｇ、及び青色ＬＥＤ１１０Ｂの順番に直線状に並んでいる構成を有する。真ん中の緑色ＬＥＤ１１０Ｇが、図３に示したレンズ部材１２０の光軸ＯＡ上に配置されている。
【００３０】
本比較形態において、各々の発光装置１００Ｚに対し、Ｚ軸に平行な平面視で、青色ＬＥＤ１１０Ｂから赤色ＬＥＤ１１０Ｒに向かう方向をプラス方向とするＶ軸と、Ｖ軸及びＺ軸と直交するＵ軸とを有する右手系のＵＶ直交座標系を定義する。
【００３１】
本比較形態では、表示ユニット２００を構成するすべての発光装置１００Ｚが、図１１に示す構成を採る。この場合、それらすべての発光装置１００Ｚが、Ｖ軸のプラス方向がＹ軸のプラス方向と一致し、かつＵ軸のプラス方向がＸ軸のプラス方向と一致する向きに揃えられていると、図１に示す画面３２０をＹ軸のマイナス方向に向かって見たときに、赤色が相対的に強く感じられ、Ｙ軸のプラス方向に向かって見たときには、青色が相対的に強く感じられがちであるという問題が生じる。
【００３２】
図１２は、かかる問題を解決する、発光装置１００Ｚの配列を示す。図１２では、赤色ＬＥＤ１１０Ｒを“Ｒ”と表記し、緑色ＬＥＤ１１０Ｇを“Ｇ”と表記し、青色ＬＥＤ１１０Ｂを“Ｂ”と表記した。また、各々の発光装置１００ＺにＶ軸を付した。
【００３３】
図１２に示すように、Ｘ軸の方向に隣り合う２つの発光装置１００Ｚの一方が、他方に対して、回路基板２１０に平行な面内で１８０度回転した向きに配置されている。また、Ｙ軸の方向に隣り合う２つの発光装置１００Ｚの一方が、他方に対して、回路基板２１０に平行な面内で１８０度回転した向きに配置されている。
【００３４】
図１３は、図１２に示す配列を採った場合の、図１に示す画面３２０に表示される映像における、各原色の光成分の指向特性を示す。曲線ＤＢ２−Ｒは、赤色の光成分（以下、赤色成分と記す。）の相対光度の、ＹＺ面内での見る角度に対する依存性（以下、単に角度依存性と記す。）を表すグラフである。曲線ＤＢ２−Ｂは、青色の光成分（以下、青色成分と記す。）の相対光度の、角度依存性を表すグラフである。曲線ＤＢ２−Ｇは、緑色の光成分（以下、緑色成分と記す。）の相対光度の、角度依存性を表すグラフである。
【００３５】
理解を容易にするために、曲線ＤＢ２−Ｒが示すグラフと、曲線ＤＢ２−Ｂが示すグラフとが一致する理想的な場合を示している。この場合、図１に示す画面３２０をＹ軸のマイナス方向に向かって見たときも、Ｙ軸のプラス方向に向かって見たときも、赤色成分と青色成分との光度比が同じに感じられる。
【００３６】
これは、図１２に示す配列を採ったことにより、回路基板２１０上において、赤色ＬＥＤ１１０ＲがＹ軸のプラス側に位置し、青色ＬＥＤ１１０ＢがＹ軸のマイナス側に位置する発光装置１００Ｚの数と、青色ＬＥＤ１１０ＢがＹ軸のプラス側に位置し、赤色ＬＥＤ１１０ＲがＹ軸のマイナス側に位置する発光装置１００Ｚの数と、が均等に近づけられたためである。
【００３７】
しかし、曲線ＤＢ２−Ｇが示すように、角度０度の位置を除いて、緑色成分の相対光度は、赤色成分及び青色成分の相対光度より大きい。また、緑色成分の相対光度の、見る角度の増大に伴う減衰の仕方は、赤色成分及び青色成分の相対光度の、見る角度の増大に伴う減衰の仕方よりも緩やかである。
【００３８】
つまり、図１３に示すように、角度０度の位置で純白色の光が視認されるように、赤色成分、緑色成分、及び青色成分の輝度を等しく揃えた場合であっても、図１に示す画面３２０をＹＺ面内で斜めから見た場合には、緑色が相対的に強く感じられてしまう。
【００３９】
この主な原因は、図１１に示したように、赤色ＬＥＤ１１０Ｒ、緑色ＬＥＤ１１０Ｇ、及び青色ＬＥＤ１１０Ｂのうち、緑色ＬＥＤ１１０Ｇのみが、光軸ＯＡ上に配置されていることにある。つまり、緑色ＬＥＤ１１０Ｇが、光軸ＯＡ上に配置されているため、各々の発光装置１００Ｚから、緑色の光が、赤色の光及び青色の光よりも大きな立体角をもって広がって放射される。
【００４０】
以上説明したように、比較形態に係る構成では、赤色成分と青色成分との光度比の、見る角度に対する依存性は低減することができるものの、緑色成分と、赤色成分又は青色成分との光度比の、見る角度に対する依存性は低減され難い。以下、この課題を解決する本実施形態の説明に戻る。
【００４１】
図４に示すように、本実施形態に係る発光装置１００Ａにおいても、光軸ＯＡに平行な平面視で、ＬＥＤは、赤色ＬＥＤ１１０Ｒ、緑色ＬＥＤ１１０Ｇ、及び青色ＬＥＤ１１０Ｂの順番に直線状に並んでいる。但し、赤色ＬＥＤ１１０Ｒ、緑色ＬＥＤ１１０Ｇ、及び青色ＬＥＤ１１０Ｂのすべてが、光軸ＯＡからずれた位置に配置されている。
【００４２】
光軸ＯＡに平行な平面視において、緑色ＬＥＤ１１０Ｇと青色ＬＥＤ１１０Ｂとの最短距離Ｄ１は、赤色ＬＥＤ１１０Ｒと緑色ＬＥＤ１１０Ｇとの最短距離Ｄ２よりも短い。なお、最短距離Ｄ１は、最短距離Ｄ２の２／３以下であることが好ましく、１／２以下であることがより好ましい。
【００４３】
光軸ＯＡは、回路基板２１０の平面に直交し、かつ最短距離Ｄ２を表す仮想線分Ｌ１と直交している。赤色ＬＥＤ１１０Ｒから光軸ＯＡまでの最短距離と、緑色ＬＥＤ１１０Ｇから光軸ＯＡまでの最短距離とは、共に０．５×Ｄ２で等しい。つまり、光軸ＯＡは、仮想線分Ｌ１の中点を通っている。
【００４４】
光軸ＯＡに平行な平面視で、赤色ＬＥＤ１１０Ｒ、緑色ＬＥＤ１１０Ｇ、及び青色ＬＥＤ１１０Ｂのうち青色ＬＥＤ１１０Ｂが、光軸ＯＡから最も遠い位置に配置されている。
【００４５】
なお、リードフレーム１４０は、凹部１３３の底面に露出した電極としてのパッド部分を有しており、そのパッド部分に、赤色ＬＥＤ１１０Ｒ、緑色ＬＥＤ１１０Ｇ、及び青色ＬＥＤ１１０Ｂが電気的に接続される。但し、図４においては、そのパッド部分の図示を省略している。この点は、後に参照する図９においても同様である。
【００４６】
以下の説明のために、各々の発光装置１００Ａに対して、光軸ＯＡに平行な平面視で、青色ＬＥＤ１１０Ｂから赤色ＬＥＤ１１０Ｒに向かう方向をプラス方向とするＶ軸と、Ｖ軸及びＺ軸と直交するＵ軸とを有する右手系のＵＶ直交座標系を定義する。なお、図３にも、ＵＶ直交座標系を付記した。
【００４７】
図５に、各々の回路基板２１０上における発光装置１００Ａの配列を示す。図５では、赤色ＬＥＤ１１０Ｒを“Ｒ”と表記し、緑色ＬＥＤ１１０Ｇを“Ｇ”と表記し、青色ＬＥＤ１１０Ｂを“Ｂ”と表記した。また、各々の発光装置１００ＡにＶ軸を付した。
【００４８】
図５に示すように、Ｘ軸の方向に隣り合う２つの発光装置１００Ａの一方が、他方に対して、回路基板２１０に平行なＸＹ平面内で、１８０度回転した向きに配置されている。また、Ｙ軸の方向に隣り合う２つの発光装置１００Ａの一方が、他方に対して、ＸＹ平面内で、１８０度回転した向きに配置されている。
【００４９】
図６は、図５に示す配列を採った場合の、図１に示す画面３２０に表示される映像における、各原色の光成分の指向特性を示す。曲線ＤＢ１−Ｒは、赤色成分の相対光度の、ＹＺ面内での見る角度に対する依存性（以下、単に角度依存性という。）を表すグラフである。曲線ＤＢ１−Ｇは、緑色成分の相対光度の、角度依存性を表すグラフである。曲線ＤＢ１−Ｂは、青色成分の相対光度の、角度依存性を表すグラフである。
【００５０】
理解を容易にするために、曲線ＤＢ１−Ｒが示すグラフと、曲線ＤＢ１−Ｇが示すグラフとが一致する理想的な場合を示している。この場合、図１に示す画面３２０をＹ軸のマイナス方向に向かって見たときも、Ｙ軸のプラス方向に向かって見たときも、赤色成分と緑色成分との光度比が同じに感じられる。
【００５１】
これは、図５に示す配列を採ったことにより、回路基板２１０上において、赤色ＬＥＤ１１０Ｒが緑色ＬＥＤ１１０ＧよりもＹ軸のプラス側に位置する発光装置１００Ａの数と、緑色ＬＥＤ１１０Ｇが赤色ＬＥＤ１１０ＲよりもＹ軸のプラス側に位置する発光装置１００Ａの数と、が均等に近づけられたためである。
【００５２】
なお、図４に示したように、赤色ＬＥＤ１１０Ｒと、緑色ＬＥＤ１１０Ｇとの間に、光軸ＯＡが延在しているので、図５に示す配列によって、赤色成分と緑色成分との光度比の見る角度に対する依存性を低減するにあたり、赤色成分及び緑色成分の、光度及び視野角が損なわれにくい。
【００５３】
また、曲線ＤＢ１−Ｂが示すように、青色成分の相対光度の角度依存性が、赤色成分及び緑色成分の相対光度の角度依存性に、充分に近づけられる。これも各々の発光装置１００Ａが、図４に示す構成を採ったことによる。
【００５４】
つまり、各々の発光装置１００Ａにおいて、青色ＬＥＤ１１０Ｂも、赤色ＬＥＤ１１０Ｒ及び緑色ＬＥＤ１１０Ｇと同様に、光軸ＯＡからずれた位置に配置されており、かつ青色ＬＥＤ１１０Ｂが、緑色ＬＥＤ１１０Ｇに近づけられて置かれている。このため、青色成分の相対光度の角度依存性が、緑色成分の相対光度の角度依存性に近づけられる。
【００５５】
従って、図５に示す配列によって、赤色成分の相対光度の角度依存性と、緑色成分の相対光度の角度依存性とが近づけられる場合に、赤色、緑色、及び青色の各光成分の相対光度の角度依存性が、互いに近づけられる。
【００５６】
なお、図６には、角度０度の位置において、３つの原色の光成分の相対光度が一致する場合を例示したが、角度０度の位置において、３つの原色の光成分の相対光度が異なっている場合であっても、図４及び図５に示す構成を採ることにより、それら３つの原色の光成分間における光度比の角度依存性が、従来よりも低減される。つまり、図１に示す画面３２０を見る視線の、Ｚ軸からの傾斜角度を増大させたときに、画面３２０に表示されている映像の色味が変化しにくい。
【００５７】
しかも、各々の発光装置１００Ａでは、青色ＬＥＤ１１０Ｂを、緑色ＬＥＤ１１０Ｇよりも低い輝度で発光させる場合が多い。このため、青色成分と緑色成分との光度比の、見る角度に対する変動が目立ちにくい。
【００５８】
なお、図６には、ＹＺ面内での見る角度に対する相対光度の依存性を示したが、図５に示す配列によれば、ＸＺ面内を含む、Ｚ軸に平行な任意の断面内において、３つの原色の光成分間における光度比の角度依存性を従来よりも低減することができる。
【００５９】
図４において、光軸ＯＡが仮想線分Ｌ１と直交する構成を例示したが、光軸ＯＡは必ずしも仮想線分Ｌ１と交差している必要はない。図４において、仮想平面Ｓ１は、仮想線分Ｌ１に垂直であって、赤色ＬＥＤ１１０Ｒを通る平面である。また、仮想平面Ｓ２は、仮想平面Ｓ１に平行であって、緑色ＬＥＤ１１０Ｇを通る平面である。光軸ＯＡが、第１仮想平面Ｓ１と第２仮想平面Ｓ２との間に延在していれば、３つの原色の光成分間における光度比の角度依存性を低減するにあたり、光度及び視野角が損なわれにくい。
【００６０】
以上のとおり、本実施形態に係る表示ユニット２００においては、各々の発光装置１００Ａが以下の（Ａ）〜（Ｃ）の構成を有する。
（Ａ）第１発光素子、第２発光素子、及び第３発光素子のすべてが、レンズ部材１２０の光軸ＯＡからずれた位置に配置されている。
（Ｂ）レンズ部材１２０の光軸ＯＡに平行な平面視において、第１発光素子、第２発光素子、及び第３発光素子が、第１発光素子、第２発光素子、及び第３発光素子の順番に直線状に並んでおり、かつ第２発光素子と第３発光素子との最短距離Ｄ１が、第１発光素子と第２発光素子との最短距離Ｄ２よりも短い。
（Ｃ）第１発光素子と第２発光素子との最短距離Ｄ２を表す仮想線分Ｌ１に直交し、かつ第１発光素子を通る第１仮想平面Ｓ１と、第１仮想平面Ｓ１に平行で第２発光素子を通る第２仮想平面Ｓ２との間に、レンズ部材１２０の光軸が延在している。
【００６１】
また、本実施形態に係る表示ユニット２００は、回路基板２１０において隣り合う２つの発光装置１００Ａの一方が、他方に対して、回路基板２１０に平行な面内で、１８０度回転した向きに配置されている構成を有する。
【００６２】
以上の構成により、第１原色の光成分と、第２原色の光成分との光度比の、見る角度に対する依存性を低減することができる。また、第３原色の光成分と、第２原色の光成分との光度比の、見る角度に対する依存性も低減される。この結果、互いに異なる３つの原色の光成分間における光度比の、見る角度に対する依存性を従来よりも低減することができる。
【００６３】
［実施形態２］
上記実施形態１では、回路基板２１０上で隣り合う２つの発光装置１００Ａの一方が、他方に対して１８０度回転した向きに配置された構成を例示した。隣り合う２つの発光装置１００Ａの一方の、他方に対する回転角度は、０度を超え１８０度以下であれば特に１８０度に限られない。以下、その回転角度を９０度とした具体例について説明する。
【００６４】
図７に示すように、本実施形態においては、回路基板２１０上において、２行２列の正方行列を構成する４つの発光装置１００Ａによって構成される或る基準配列パターンＰＴが存在する。その基準配列パターンＰＴが、マトリクスの行の方向及び列の方向に繰り返される態様で、発光装置１００Ａが回路基板２１０上に分布している。
【００６５】
１つの基準配列パターンＰＴの構成を説明する。Ｚ軸まわりの周方向のうち、時計周りをプラス方向とする。基準配列パターンＰＴ内で、１行２列目に位置する発光装置１００Ａは、１行１列目に位置する発光装置１００Ａに対して、プラス９０度回転している。
【００６６】
また、基準配列パターンＰＴ内で、２行２列目に位置する発光装置１００Ａは、１行２列目に位置する発光装置１００Ａに対して、プラス９０度回転している。基準配列パターンＰＴ内で、２行１列目に位置する発光装置１００Ａは、２行２列目に位置する発光装置１００Ａに対して、プラス９０度回転している。
【００６７】
他の構成は、実施形態１の場合と同じである。図７に示す配列によっても、実施形態１の場合と同様に、３つの原色の光成分間における光度比の角度依存性を従来よりも低減することができる。
【００６８】
以上のとおり、本実施形態に係る表示ユニット２００においては、各々の発光装置１００Ａが以下の（Ａ）〜（Ｃ）の構成を有する。
（Ａ）第１発光素子、第２発光素子、及び第３発光素子のすべてが、レンズ部材１２０の光軸ＯＡからずれた位置に配置されている。
（Ｂ）レンズ部材１２０の光軸ＯＡに平行な平面視において、第１発光素子、第２発光素子、及び第３発光素子が、第１発光素子、第２発光素子、及び第３発光素子の順番に直線状に並んでおり、かつ第２発光素子と第３発光素子との最短距離Ｄ１が、第１発光素子と第２発光素子との最短距離Ｄ２よりも短い。
（Ｃ）第１発光素子と第２発光素子との最短距離Ｄ２を表す仮想線分Ｌ１に直交し、かつ第１発光素子を通る第１仮想平面Ｓ１と、第１仮想平面Ｓ１に平行で第２発光素子を通る第２仮想平面Ｓ２との間に、レンズ部材１２０の光軸が延在している。
【００６９】
また、本実施形態に係る表示ユニット２００は、回路基板２１０において隣り合う２つの発光装置１００Ａの一方が、他方に対して、回路基板２１０に平行な面内で、１８０度回転した向きに配置されている構成を有する。
【００７０】
以上の構成により、第１原色の光成分と、第２原色の光成分との光度比の、見る角度に対する依存性を低減することができる。また、第３原色の光成分と、第２原色の光成分との光度比の、見る角度に対する依存性も低減される。この結果、互いに異なる３つの原色の光成分間における光度比の、見る角度に対する依存性を従来よりも低減することができる。
【００７１】
［実施形態３］
上記実施形態１では、赤色ＬＥＤ１１０Ｒ、緑色ＬＥＤ１１０Ｇ、及び青色ＬＥＤ１１０Ｂが直線状に並んでいる方向を表すＶ軸が、回路基板２１０上で複数の発光装置１００Ａが構成するマトリクスの列の方向を表すＹ軸と平行である場合を例示した。Ｖ軸は必ずしもＹ軸と平行でなくてもよい。以下、Ｖ軸をＹ軸に対して傾斜させた具体例を述べる。
【００７２】
図８に示すように、本実施形態において各々の発光装置１００Ｂは、Ｚ軸に平行な平面視でパッケージ部材１３０の外縁が表す矩形の一辺に対して、赤色ＬＥＤ１１０Ｒ、緑色ＬＥＤ１１０Ｇ、及び青色ＬＥＤ１１０Ｂが斜めに配列された構成を有する。
【００７３】
そして、各々の発光装置１００Ｂは、回路基板２１０に対して、青色ＬＥＤ１１０Ｂから赤色ＬＥＤ１１０Ｒに向かう方向をプラス方向とするＶ軸が、Ｙ軸に対して４５度傾いた向きに固定される。
【００７４】
なお、図８では、回路基板２１０上で、Ｘ軸の方向に隣り合う２つの発光装置１００Ｂの一方が、他方に対して、ＸＹ平面内で１８０度回転した向きに配置されており、かつＹ軸の方向に隣り合う２つの発光装置１００Ｂの一方が、他方に対して、ＸＹ平面内で１８０度回転した向きに配置されているが、実施形態２に示したように、隣り合う２つの発光装置１００Ａの一方の、他方に対する回転角度は、０度を超え１８０度以下であれば特に１８０度に限られない。
【００７５】
他の構成は、実施形態１の場合と同じである。本実施形態によっても、３つの原色の光成分間における光度比の角度依存性を従来よりも低減することができる。
【００７６】
［実施形態４］
上記実施形態１では、赤色ＬＥＤ１１０Ｒ、緑色ＬＥＤ１１０Ｇ、及び青色ＬＥＤ１１０Ｂが直線状に並んだ構成を例示した。１つの三角形の頂点の位置に、赤色ＬＥＤ１１０Ｒ、緑色ＬＥＤ１１０Ｇ、及び青色ＬＥＤ１１０Ｂが配置された構成を採ってもよい。以下、その具体例について説明する。
【００７７】
図９に示すように、本実施形態においては、各々の発光装置１００Ｃが、光軸ＯＡに平行な平面視において、１つの三角形の頂点の位置に、赤色ＬＥＤ１１０Ｒ、緑色ＬＥＤ１１０Ｇ、及び青色ＬＥＤ１１０Ｂが配置された構成を有する。緑色ＬＥＤ１１０Ｇと青色ＬＥＤ１１０Ｂとの最短距離は、赤色ＬＥＤ１１０Ｒと緑色ＬＥＤ１１０Ｇとの最短距離、及び赤色ＬＥＤ１１０Ｒと青色ＬＥＤ１１０Ｂとの最短距離よりも短い。
【００７８】
また、赤色ＬＥＤ１１０Ｒと緑色ＬＥＤ１１０Ｇとの最短距離は、赤色ＬＥＤ１１０Ｒと青色ＬＥＤ１１０Ｂとの最短距離に等しい。つまり、赤色ＬＥＤ１１０Ｒ、緑色ＬＥＤ１１０Ｇ、及び青色ＬＥＤ１１０Ｂの各位置を結んで構成される三角形は、正三角形ではなく二等辺三角形である。
【００７９】
なお、緑色ＬＥＤ１１０Ｇと青色ＬＥＤ１１０Ｂとの最短距離は、赤色ＬＥＤ１１０Ｒと緑色ＬＥＤ１１０Ｇとの最短距離の２／３以下であることが好ましく、１／２以下であることがより好ましく、１／３以下であることがより好ましい。
【００８０】
光軸ＯＡは、回路基板２１０の平面に直交し、かつ緑色ＬＥＤ１１０Ｇと青色ＬＥＤ１１０Ｂとの中点ＭＰと、赤色ＬＥＤ１１０Ｒとを結ぶ仮想軸線ＬＡに直交する。また、光軸ＯＡに平行な平面視で、赤色ＬＥＤ１１０Ｒから光軸ＯＡまでの最短距離と、中点ＭＰから光軸ＯＡまでの最短距離とは等しい。つまり、光軸ＯＡは、仮想軸線ＬＡの中点を通っている。
【００８１】
以下の説明のために、各々の発光装置１００Ｃに対して、光軸ＯＡに平行な平面視で、中点ＭＰから赤色ＬＥＤ１１０Ｒに向かう方向をプラス方向とするＶ軸と、Ｖ軸及びＺ軸と直交するＵ軸とを有する右手系のＵＶ直交座標系を定義する。
【００８２】
図１０に、各々の回路基板２１０上における発光装置１００Ｃの配列を示す。図１０では、赤色ＬＥＤ１１０Ｒを“Ｒ”と表記し、緑色ＬＥＤ１１０Ｇを“Ｇ”と表記し、青色ＬＥＤ１１０Ｂを“Ｂ”と表記した。また、各々の発光装置１００ＣにＶ軸を付した。
【００８３】
図１０に示すように、Ｘ軸の方向に隣り合う２つの発光装置１００Ｃの一方が、他方に対して、ＸＹ平面内で１８０度回転した向きに配置されている。また、Ｙ軸の方向に隣り合う２つの発光装置１００Ｃの一方が、他方に対して、ＸＹ平面内で１８０度回転した向きに配置されている。
【００８４】
他の構成は、実施形態１の場合と同じである。本実施形態によっても、３つの原色の光成分間における光度比の角度依存性を従来よりも低減することができる。
【００８５】
図９において、光軸ＯＡが仮想軸線ＬＡと交差する位置に延在している構成を例示したが、光軸ＯＡは必ずしも仮想軸線ＬＡと交差している必要はない。図９において、第１仮想平面Ｓ１は、緑色ＬＥＤ１１０Ｇと青色ＬＥＤ１１０Ｂとの中点ＭＰと赤色ＬＥＤ１１０Ｒとを結ぶ仮想軸線ＬＡに直交し、かつ赤色ＬＥＤ１１０Ｒを通る平面である。また、仮想平面Ｓ２は、仮想平面Ｓ１に平行であって、緑色ＬＥＤ１１０Ｇと青色ＬＥＤ１１０Ｂとの中点ＭＰを通る平面である。光軸ＯＡが、第１仮想平面Ｓ１と第２仮想平面Ｓ２との間に延在していれば、３つの原色の光成分間における光度比の角度依存性を低減するにあたり、光度及び視野角が損なわれにくい。
【００８６】
以上のとおり、本実施形態に係る表示ユニット２００においては、各々の発光装置１００Ｃが以下の（ａ）〜（ｃ）の構成を有する。
（ａ）第１発光素子、第２発光素子、及び第３発光素子のすべてが、レンズ部材１２０の光軸ＯＡからずれた位置に配置されている。
（ｂ）レンズ部材１２０の光軸ＯＡに平行な平面視において、第２発光素子と第３発光素子との最短距離が、第１発光素子と第２発光素子との最短距離、及び第１発光素子と第３発光素子との最短距離よりも短い。
（ｃ）第２発光素子と第３発光素子との中点ＭＰと第１発光素子とを結ぶ仮想軸線ＬＡに直交し、かつ第１発光素子を通る第１仮想平面Ｓ１と、第１仮想平面Ｓ１と平行で第２発光素子と第３発光素子とを通る第２仮想平面Ｓ２との間に、レンズ部材１２０の光軸ＯＡが延在する。
【００８７】
また、本実施形態に係る表示ユニット２００は、回路基板２１０において隣り合う２つの発光装置１００Ｃの一方が、他方に対して、回路基板２１０に平行な面内で、０度を超える１８０度以下の角度だけ回転した向きに配置されている構成を有する。
【００８８】
以上、本発明の実施形態について説明した。本発明はこれに限られず、以下に述べる変形も可能である。
【００８９】
上記実施形態１では、回路基板２１０上で、マトリクスの行の方向に隣り合う２つの発光装置１００Ａの一方が、他方に対して回転した向きに配置されており、かつ列の方向に隣り合う２つの発光装置１００Ａの一方が、他方に対して回転した向きに配置されている構成を例示した。列の方向に隣り合う２つの発光装置１００Ｂの一方の、他方に対する回転角度はゼロであってもよい。または、行の方向に隣り合う２つの発光装置１００Ｂの一方の、他方に対する回転角度はゼロであってもよい。
【００９０】
上記実施形態１では、回路基板２１０上に、複数の発光装置１００Ａがマトリクス状に配列された構成を例示した。複数の発光装置１００Ａは、回路基板２１０上に２次元に分布して配置されていればよく、必ずしもマトリクス状に配列されている必要はない。
【００９１】
上記実施形態１では、各々の発光装置１００Ａにおいて光軸ＯＡから最も遠い位置に配置される第３発光素子が、青色の光を放射する構成を例示した。第３発光素子が放射する光の色は特に限定されない。第３発光素子が赤色の光を放射してもよい。各々の発光装置１００Ａでは、赤色の光を、緑色の光よりも低い輝度で発光させる場合が多いため、赤色成分と緑色成分との光度比が見る角度に依存する場合であっても、その光度比の、見る角度に対する依存性が目立ちにくい。第３発光素子を赤色とする場合、第１発光素子を青色とし、第２発光素子を緑色とすることが好ましい。緑色の光が最も輝度が高いので、緑色の発光素子を端に置くと、３つの原色の光成分間における光度比の、見る角度によるばらつきが大きくなってしまうためである。
【００９２】
上記実施形態１では、図３に、光軸ＯＡに平行な１つの断面内に曲率を有するレンズ部材１２０を示した。レンズ部材１２０は、直交する２つの断面内で曲率を有してもよい。この場合、直交する２つの断面内の曲率は等しくてもよい。また、レンズ部材１２０は、直交する２つの断面内での曲率が異なるトロイダルレンズを構成していてもよい。また、レンズ部材１２０は、直交する２つの断面のうち一方の断面内でのみ曲率を有するシリンドリカルレンズを構成していてもよい。レンズ部材１２０の一部が、パッケージ部材１３０の凹部１３３を埋め、赤色ＬＥＤ１１０Ｒ、緑色ＬＥＤ１１０Ｇ、及び青色ＬＥＤ１１０Ｂを封止していてもよい。
【００９３】
上記実施形態では、第１発光素子から第３発光素子をＬＥＤによって実現したが、第１発光素子から第３発光素子を、有機エレクトロルミネッセンスによって発光する素子によって実現してもよい。
【符号の説明】
【００９４】
１００Ａ，１００Ｂ，１００Ｃ，１００Ｚ…発光装置、１１０Ｒ…赤色ＬＥＤ（第１発光素子）、１１０Ｇ…緑色ＬＥＤ（第２発光素子）、１１０Ｂ…青色ＬＥＤ（第３発光素子）、１２０…レンズ部材、１３０…パッケージ部材（保持部材）、１３１…基部、１３２…壁部、１３３…凹部、１４０…リードフレーム、２００…表示ユニット、２１０…回路基板、３００…表示装置、３１０…フレーム、３２０…画面、ＯＡ…光軸、Ｌ１…仮想線分、ＬＡ…仮想軸線、Ｓ１…第１仮想平面、Ｓ２…第２仮想平面、ＭＰ…中点、ＰＴ…基準配列パターン。
【図１】
2020013043.tif 000003
【図２】
2020013043.tif 000004
【図３】
2020013043.tif 000005
【図４】
2020013043.tif 000006
【図５】
2020013043.tif 000007
【図６】
2020013043.tif 000008
【図７】
2020013043.tif 000009
【図８】
2020013043.tif 000010
【図９】
2020013043.tif 000011
【図１０】
2020013043.tif 000012
【図１１】
2020013043.tif 000013
【図１２】
2020013043.tif 000014
【図１３】
2020013043.tif 000015